(57)【特許請求の範囲】
【請求項１】
所定の大きさのコンクリート板にトラス筋が上部を突出させて適宜間隔ごとに配筋され、中央部のトラス筋を境にした一方のコンクリート板上面におけるトラス筋間に小型軽量型枠が適宜間隔ごとに配設され、中央部のトラス筋を境にした他方のコンクリート板上面におけるトラス筋間には小型軽量型枠の倍以上の大きさの大型軽量型枠が配設され、前記トラス筋が三角形状に配置された一本の上弦筋と二本の下弦筋とが波形のラチス筋で接合されたものであることを特徴とするプレキャストコンクリート板。
【請求項２】
所定の大きさのコンクリート板にトラス筋が上部を突出させて適宜間隔ごとに配筋され、該中央部のトラス筋を境にした一方のコンクリート板上面におけるトラス筋間に小型軽量型枠が適宜間隔ごとに配設され、中央部のトラス筋を境にした他方のコンクリート板上面におけるトラス筋間には小型軽量型枠の倍以上の大きさの大型軽量型枠が配設され、前記トラス筋が三角形状に配置された一本の上弦筋と二本の下弦筋とが波形のラチス筋で接合されてなる薄肉プレキャストコンクリート板が、長尺梁と短尺梁間における短尺梁側に設置され、これらの薄肉プレキャストコンクリート板の間には、所定の大きさのコンクリート板に上部を突出させて適宜間隔ごとに配筋されたトラス筋間に上記小型軽量型枠の倍以上の大きさの大型軽量型枠が配設された薄肉プレキャストコンクリート板が隣接状態で設置されて下床が形成され、該下床の短尺梁側の薄肉プレキャストコンクリート板の軽量型枠間にはトラス筋と直交した横筋が配筋され、この横筋の何本かが中央部の薄肉プレキャストコンクリート板を横切って他側部の薄肉プレキャストコンクリート板にまで配筋され、下床にはトップコンクリートが打設されてなることを特徴とするコンクリートスラブ。
【請求項３】
所定の大きさのコンクリート板にトラス筋が上部を突出させて適宜間隔ごとに配筋され、該中央部のトラス筋を境にした一方のコンクリート板上面におけるトラス筋間に小型軽量型枠が適宜間隔ごとに配設され、中央部のトラス筋を境にした他方のコンクリート板上面におけるトラス筋間には小型軽量型枠の倍以上の大きさの大型軽量型枠が配設され、前記トラス筋が三角形状に配置された一本の上弦筋と二本の下弦筋とが波形のラチス筋で接合されてなる薄肉プレキャストコンクリート板が、長尺梁と短尺梁間における短尺梁側に設置され、これらの薄肉プレキャストコンクリート板の間には、
所定の大きさのコンクリート板に上部を突出させて適宜間隔ごとに配筋されたトラス筋間に上記小型軽量型枠の倍以上の大きさの大型軽量型枠が配設された薄肉プレキャストコンクリート板と、
所定の大きさのコンクリート板を所定のエリアに分割し、その一方のエリアに背の高いトラス筋を上部が突出するように適宜間隔をもって配筋し、他方のエリアには背の低いトラス筋を上部が突出するように適宜間隔をもって配筋し、前記背の高いトラス筋と背の低いトラス筋とは、三角形状に配置された一本の上弦筋と二本の下弦筋とが波形のラチス筋で接合された三角トラスであり、これらのトラス筋の端部をコンクリート板の所定箇所で上下に重ね合わせ配筋した複合プレキャストコンクリート板とが隣接状態で設置されて下床が形成され、
該下床の短尺梁側の薄肉プレキャストコンクリート板の軽量型枠間にはトラス筋と直交した横筋が配筋され、この横筋の何本かが中央部の薄肉プレキャストコンクリート板と複合プレキャストコンクリート板とを横切って他側部の薄肉プレキャストコンクリート板にまで配筋され、下床にはトップコンクリートが打設され、背の高いトラス筋と背の低いトラス筋とが配筋された箇所には段差部が形成されたことを特徴とするコンクリートスラブ。
【請求項４】
請求項２または３に記載のコンクリートスラブを備えたことを特徴とする構築物。
【発明の詳細な説明】
【０００１】
【発明の属する分野】
本発明はプレキャストコンクリート板、コンクリートスラブおよび構築物に関するものである。
【０００２】
【従来の技術】
鉄筋コンクリート造などの建物は、ほとんどがプレキャストコンクリート板でコンクリートスラブを構築しており、図７に示すように、トラス筋３３間に軽量型枠３４を配設したプレキャストコンクリート板３５を梁３６間に隣接状態で敷設してコンクリートスラブ３７を形成している。
【０００３】
【発明が解決しようとする課題】
しかし、上記のようなコンクリートスラブは、プレキャストコンクリート板のトラス筋が長辺方向にしか配筋されていないため、荷重が前記トラス筋に沿った一方向にしか流れず、特に大きなせん断力が作用する周辺部においては偏った配筋となっていた。
【０００４】
本発明はこれらの問題に鑑みてなされたものであり、その目的は、周辺部をそこに作用するせん断力に耐えられる強さとし、かつ周辺部の荷重が二方向に流れるプレキャストコンクリート板、コンクリートスラブおよび構築物を提供することである。
【０００５】
【課題を解決するための手段】
以上の課題を解決するための手段は、プレキャストコンクリート板が、所定の大きさのコンクリート板にトラス筋が上部を突出させて適宜間隔ごとに配筋され、中央部のトラス筋を境にした一方のコンクリート板上面におけるトラス筋間に小型軽量型枠が適宜間隔ごとに配設され、中央部のトラス筋を境にした他方のコンクリート板上面におけるトラス筋間には小型軽量型枠の倍以上の大きさの大型軽量型枠が配設され、前記トラス筋が三角形状に配置された一本の上弦筋と二本の下弦筋とが波形のラチス筋で接合されたものであることを特徴とする。
またコンクリートスラブが、所定の大きさのコンクリート板にトラス筋が上部を突出させて適宜間隔ごとに配筋され、該中央部のトラス筋を境にした一方のコンクリート板上面におけるトラス筋間に小型軽量型枠が適宜間隔ごとに配設され、中央部のトラス筋を境にした他方のコンクリート板上面におけるトラス筋間には小型軽量型枠の倍以上の大きさの大型軽量型枠が配設され、前記トラス筋が三角形状に配置された一本の上弦筋と二本の下弦筋とが波形のラチス筋で接合されてなる薄肉プレキャストコンクリート板が、長尺梁と短尺梁間における短尺梁側に設置され、これらの薄肉プレキャストコンクリート板の間には、所定の大きさのコンクリート板に上部を突出させて適宜間隔ごとに配筋されたトラス筋間に上記小型軽量型枠の倍以上の大きさの大型軽量型枠が配設された薄肉プレキャストコンクリート板が隣接状態で設置されて下床が形成され、該下床の短尺梁側の薄肉プレキャストコンクリート板の軽量型枠間にはトラス筋と直交した横筋が配筋され、この横筋の何本かが中央部の薄肉プレキャストコンクリート板を横切って他側部の薄肉プレキャストコンクリート板にまで配筋され、下床にはトップコンクリートが打設されてなることを特徴とする。
またコンクリートスラブが、所定の大きさのコンクリート板にトラス筋が上部を突出させて適宜間隔ごとに配筋され、該中央部のトラス筋を境にした一方のコンクリート板上面におけるトラス筋間に小型軽量型枠が適宜間隔ごとに配設され、中央部のトラス筋を境にした他方のコンクリート板上面におけるトラス筋間には小型軽量型枠の倍以上の大きさの大型軽量型枠が配設され、前記トラス筋が三角形状に配置された一本の上弦筋と二本の下弦筋とが波形のラチス筋で接合されてなる薄肉プレキャストコンクリート板が、長尺梁と短尺梁間における短尺梁側に設置され、これらの薄肉プレキャストコンクリート板の間には、
所定の大きさのコンクリート板に上部を突出させて適宜間隔ごとに配筋されたトラス筋間に上記小型軽量型枠の倍以上の大きさの大型軽量型枠が配設された薄肉プレキャストコンクリート板と、
所定の大きさのコンクリート板を所定のエリアに分割し、その一方のエリアに背の高いトラス筋を上部が突出するように適宜間隔をもって配筋し、他方のエリアには背の低いトラス筋を上部が突出するように適宜間隔をもって配筋し、前記背の高いトラス筋と背の低いトラス筋とは、三角形状に配置された一本の上弦筋と二本の下弦筋とが波形のラチス筋で接合された三角トラスであり、これらのトラス筋の端部をコンクリート板の所定箇所で上下に重ね合わせ配筋した複合プレキャストコンクリート板とが隣接状態で設置されて下床が形成され、
該下床の短尺梁側の薄肉プレキャストコンクリート板の軽量型枠間にはトラス筋と直交した横筋が配筋され、この横筋の何本かが中央部の薄肉プレキャストコンクリート板と複合プレキャストコンクリート板とを横切って他側部の薄肉プレキャストコンクリート板にまで配筋され、下床にはトップコンクリートが打設され、背の高いトラス筋と背の低いトラス筋とが配筋された箇所には段差部が形成されたことを特徴とする。
また構築物が、上記のコンクリートスラブを備えたことを特徴とする。
【０００６】
コンクリート板の対向する一方の上面には小型軽量型枠が配設されるとともに、他方の上面には小型軽量型枠よりも大きな大型軽量型枠が配設されるため、軽量型枠を取り付ける手間が省けて作業性が向上する。
【０００７】
下床の長辺方向の両側部におけるプレキャストコンクリート板の対向する一方の上面にはトラス筋と交差する横筋が、他方の上面における横筋よりも多く配筋されたことにより、コンクリートスラブの周辺部がそこに作用するせん断力に耐えられる強さとなり、かつ周辺部に作用する荷重がトラス筋および横筋に沿って二方向に流れるようになっている。
【０００８】
下床の両側部におけるプレキャストコンクリート板の対向する一方の上面に小型軽量型枠が配設されるとともに、他方の上面には小型軽量型枠よりも大型軽量型枠が配設されるため、スラブ厚を薄くすることができ、スラブの軽量化が図れる。
【０００９】
横筋のうちの何本かは一側部のプレキャストコンクリート板から中央部のプレキャストコンクリート板を横切って、他側部のプレキャストコンクリート板にまで配筋されたことにより、両側部のプレキャストコンクリート板と中央部のプレキャストコンクリート板との一体性を高める。
【００１０】
【発明の実施の形態】
以下、本発明のプレキャストコンクリート板、コンクリートスラブの実施の形態を図面に基づいて説明する。図１はプレキャストコンクリート板の平面図、図２の（１）は図１のＡ−Ａ線断面図、同図の（２）は同Ｂ−Ｂ線断面図、図３は図１のＣ−Ｃ線断面図である。
【００１１】
図１はプレキャストコンクリート板（以下薄肉ＰＣ板という）１を示し、平面矩形のコンクリート板２と、トラス筋３と、軽量型枠４、５とから構成されている。
【００１２】
薄肉ＰＣ板１は所定の大きさおよび所定の厚さを備えたものであり、長辺方向に沿ったトラス筋３が短辺方向に適宜間隔をもって配筋され、中央部のトラス筋３を境にした対向する一方の上面におけるトラス筋３間には小型軽量型枠４が適宜間隔ごとに配設されるとともに、他方の上面におけるトラス筋３間には小型軽量型枠４よりも倍以上大きな大型軽量型枠５が配設されている。
【００１３】
これらの軽量型枠４、５はトラス筋３よりも低く、かつ打設されるコンクリートによって圧壊しないものが用いられ、具体的には、発泡ポリスチレンのようなビーズ型内発泡成形による合成樹脂発泡成形品が使用されるが、その他にもエチレン系樹脂、プロピレン系樹脂等からなる発泡成形品等を使用することも可能である。なお、軽量型枠４、５の材質としては、コンクリートに対して軽量であれば特に限定されるものではなく、中空鋼管であってもよい。
【００１４】
このトラス筋３は、三角形状に配置された一本の上弦筋（トップ筋）６と二本の下弦筋（下端筋）７が波形のラチス筋８で接合されたトラスであり、上弦筋６側がコンクリート板２の上面から突出しているとともに、下弦筋７がコンクリート板２内の曲げ補強筋９に接合されている。なお、トラス筋３は上記のようなものに限定されず、一本の上弦筋と一本の下弦筋を波型のラチス筋で接合したトラスであってもよい。
【００１５】
図４は上記の薄肉ＰＣ板１を使用したコンクリートスラブ１０を示し、長尺梁１１と短尺梁１２間の両側部、すなわち短尺梁１２側のみに薄肉ＰＣ板１を敷設するとともに、これらの薄肉ＰＣ板１間に通常の薄肉ＰＣ板１３が隣接状態で敷設されて下床１４を形成し、該下床１４にスラブ上端筋１５を配筋してトップコンクリート１６が打設されている。
【００１６】
上記下床１４における両側部の薄肉ＰＣ板１の一方の上面には１列８個の小型軽量型枠４が、また他方の上面には１列４個の大型軽量型枠５がそれぞれ２列づつ配設されるとともに、下床１４における中央部の薄肉ＰＣ板１３上には１列４個の大型軽量型枠５が４列配設されている。この小型軽量型枠４は大型軽量型枠５の半分以下の大きさであり、横筋の数によって大きさが決定される。
【００１７】
前記下床１４の両側部における薄肉ＰＣ板１には、トラス筋３と直交した９本の横筋１７、１８が適宜間隔ごとに配筋され、そのうちの３本の横筋１７が中央部の薄肉ＰＣ板１３を横切って他側部の薄肉ＰＣ板１にまで配筋されている。したがってコンクリートスラブ１０全体として、両側部の薄肉ＰＣ板１の一部には、中央部の薄肉ＰＣ板１３に比べて倍以上（３本に対して９本）の横筋１７、１８が配筋されている。また前記３本の横筋１７は薄肉ＰＣ板１、１３同士を接合する役目をするが、残り６本の横筋１８も薄肉ＰＣ板１と短尺梁１２の接合強度を高めている。
【００１８】
このように下床１４の両側部における薄肉ＰＣ板１の一部に、中央部の薄肉ＰＣ板１３よりも倍以上の横筋１７、１８を配筋したことにより、コンクリートスラブ１０の周辺部を、そこに作用するせん断力に耐えられる強さとし、かつ周辺部に作用する荷重をトラス筋３および横筋１７、１８に沿って二方向に流すことができる。
【００１９】
前記の横筋１７、１８は単数または複数に束ねた異形鉄筋やトラス筋を使用するものとし、所定長さのものを溶接などで接続して形成することもできる。なお、トラス筋としては、前記と同様に三角トラスやＩ形トラスを使用することもできる。
【００２０】
図５は上記の薄肉ＰＣ板１を使用した段差部を有するコンクリートスラブ２０であり、長尺梁２１と短尺梁２２間の両側部、すなわち短尺梁２２側のみに敷設された薄肉ＰＣ板１と、これらの薄肉ＰＣ板１間に敷設されてた通常の薄肉ＰＣ板１３と複合プレキャストコンクリート板（以下複合薄肉ＰＣ板）２３とから下床２４が形成され、該下床２４にスラブ上端筋２５が配筋されてトップコンクリート２６が打設されている。
【００２１】
前記複合薄肉ＰＣ板２３は、分割された二つのエリア２７、２８のうちの一方のエリア２７に背の高いトラス筋２９が長辺方向に沿って配筋され、これらのトラス筋２９間には大型軽量型枠５が配設されている。一方、他方のエリア２８には背の低いトラス筋３０が適宜間隔ごとに配筋されて、その端部が前記背の高いトラス筋２９に重ね配筋されている。この重ね配筋はトラス筋２９、３０同士を横に添わせる以外に、同図の（２）に示すように、上下に重ね合わせることもできる。このことにより重ね合わせ部における強度をさらに強めることができるとともに、トラス筋２９、３０同士を互いにずらして配筋する手間も省ける。
【００２２】
したがって、図６の（１）および（２）に示すように、複合薄肉ＰＣ板２３の背の低いトラス筋３０と通常の薄肉ＰＣ板１３におけるトラス筋３、および複合薄肉ＰＣ板２３における背の低いトラス筋３０と背の高いトラス筋２９の間には高低差が生じ、これをもってトップコンクリート２６が打設されて、図６の（３）に示すような段差部３１を形成せしめている。
【００２３】
また図４および図５のコンクリートスラブ１０、２０による鉄骨造、鉄筋コンクリート造および鉄骨鉄筋コンクリート造の構築物を構築すると、周辺部を、そこに作用するせん断力に耐えられる強さとし、かつ周辺部に作用する荷重をトラス筋および横筋に沿って二方向に流せるコンクリートスラブ１０、２０を備えた構築物（図示せず）が構築できる。
【００２４】
【発明の効果】
コンクリート板の対向する一方の上面には小型軽量型枠が配設されるとともに、他方の上面には小型軽量型枠よりも大きな大型軽量型枠が配設されるため、軽量型枠を取り付ける手間が省けて作業性が向上する。またプレキャストコンクリート板に作用する荷重に応じた軽量型枠の配設ができる。さらに、ピアノなどの大きな荷重が作用する箇所にプレキャストコンクリート板を配設することができる。
【００２５】
下床の長辺方向の両側部におけるプレキャストコンクリート板の対向する一方の上面にはトラス筋と交差する横筋が、他方の上面における横筋よりも多く配筋されたことにより、コンクリートスラブの周辺部がそこに作用するせん断力に耐えられる強さとなり、かつ周辺部に作用する荷重をトラス筋および横筋に沿って二方向に流すことができる。
【００２６】
段差部のあるコンクリートスラブを簡単に構築できるとともに、該コンクリートスラブの中央部に作用する荷重をトラス筋および横筋に沿って二方向に流すことができる。
【００２７】
下床の長辺方向の両側部における薄肉ＰＣ板の対向する一方の上面には小型軽量型枠が配設されるとともに、他方の上面には前記小型軽量型枠よりも大きな大型軽量型枠が配設されたことにより、スラブ厚を薄くすることができるので、スラブの軽量化が図れる。
【００２８】
横筋のうちの何本かは一側部の薄肉ＰＣ板から中央部の薄肉ＰＣ板を横切って、他側部の薄肉ＰＣ板にまで配筋されたことにより、両側部の薄肉ＰＣ板と中央部の薄肉ＰＣ板との一体性を高めることができる。
【図面の簡単な説明】
【図１】薄肉ＰＣ板の平面図である。
【図２】（１）は図１のＡ−Ａ線断面図、（２）は同図のＢ−Ｂ線断面図である。
【図３】図１のＣ−Ｃ線断面図である。
【図４】コンクリートスラブの平面図である。
【図５】（１）は他のコンクリートスラブの平面図、（２）はトラス筋の重ね配筋の断面図である。
【図６】（１）は図５のＤ−Ｄ線断面図、（２）は同図のＥ−Ｅ線断面図、（３）は段差部の断面図である。
【図７】従来のコンクリートスラブの平面図である。
【符号の説明】
１、１３、３５  薄肉ＰＣ板
２  コンクリート板
３、２９、３０、３３  トラス筋
４、５、３４  軽量型枠
６  上弦筋
７  下弦筋
８  ラチス筋
９  曲げ補強筋
１０、２０、３７  コンクリートスラブ
１１、２１  長尺梁
１２、２２  短尺梁
１４、２４  下床
１５、２５  スラブ上端筋
１６、２６  トップコンクリート
２３  複合薄肉ＰＣ板
１７、１８  横筋
２７、２８  エリア
３１  段差部
【図１】
0003751747.tif 000002
【図２】
0003751747.tif 000003
【図３】
0003751747.tif 000004
【図４】
0003751747.tif 000005
【図５】
0003751747.tif 000006
【図６】
0003751747.tif 000007
【図７】
0003751747.tif 000008